(57)【特許請求の範囲】
【請求項１】
移動端末へサービスを提供するために使用される複数のトランスポートチャネルの速度整合を制御する方法であって、
前記複数のトランスポートチャネルについて複数の相対的なオフセットの尺度であって、前記移動端末によって現在使用されている様々なサービス間の品質の違いを示すオフセットの尺度を、ネットワークから前記移動端末に通知するステップと、
前記移動端末及び前記ネットワークのうちの選択された一つにおいて、前記複数の相対的なオフセットの尺度を用い、物理チャネルに対して、前記複数のトランスポートチャネルのビット速度を整合させるビット速度整合ステップと、
を備え、
前記複数のトランスポートチャネルのそれぞれは、前記移動端末により現在使用されているサービスの全てをサポートしている物理チャネルに多重化されているサービスの少なくとも一つをサポートしており、
さらに、
前記ビット速度整合ステップは、
前記複数のトランスポートチャネルの中からリファレンスとなるトランスポートチャネルを選択するステップと、
前記ビット速度を整合させる際の基準となるオフセットの尺度であるリファレンス速度整合オフセット値を前記リファレンスとなるトランスポートチャネルに割り当てるステップと、
前記ビット速度を整合させる際のオフセットの尺度である速度整合オフセット値のそれぞれを残りのトランスポートチャネルに割り当てるステップと、
前記速度整合オフセット値及び前記リファレンス速度整合オフセット値を用いて、前記複数のトランスポートチャネルのビット速度を前記複数のトランスポートチャネルを前記物理チャネルにおいて多重化してなる複合トランスポートチャネルのビット速度に対してバランスさせるステップと
を備えることを特徴とする方法。
【請求項２】
前記ビット速度整合ステップの整合結果を反映させるステップをさらに備えることを特徴とする請求項１に記載の方法。
【請求項３】
前記ビット速度整合ステップは、
物理チャネルのビット速度と整合させるためには、前記複数のチャネルのうちの一つにはより多くのビットが含まれるべきであるか又はより少ないビット含まれるべきであるかを決定するステップを、
さらに含むことを特徴とする請求項１に記載の方法。
【請求項４】
前記ビット速度整合ステップは、
前記少なくとも一つのチャネルにはより多くのビットが含まれるべきである場合に、該少なくとも一つのチャネルのビットを繰り返させるステップを、
さらに含むことを特徴とする請求項３に記載の方法。
【請求項５】
前記ビット速度整合ステップは、
前記少なくとも一つのチャネルにはより少ないビットが含まれるべきである場合に、該少なくとも一つのチャネルのビットを間引くステップを、
さらに含むことを特徴とする請求項３に記載の方法。
【請求項６】
前記相対的なオフセットの尺度には、サービスの品質を表す値が含まれていることを特徴とする請求項１に記載の方法。
【請求項７】
前記相対的なオフセットの尺度には、特定の品質値に対応した値が含まれていることを特徴とする請求項１に記載の方法。
【請求項８】
前記ビット速度整合ステップは、
少なくとも一つの物理チャネルのビット速度に整合させるためには、前記複合トランスポートチャネルに、より多くのビットが含まれるべきであるか又はより少ないビット含まれるべきであるかを決定するステップを、
さらに含むことを特徴とする請求項１に記載の方法。
【請求項９】
前記ビット速度整合ステップは、
前記複合トランスポートチャネルにはより多くのビットが含まれるべきである場合に、該複合トランスポートチャネルのビットを繰り返させるステップを、
さらに含むことを特徴とする請求項８に記載の方法。
【請求項１０】
前記ビット速度整合ステップは、
前記複合トランスポートチャネルにはより少ないビットが含まれるべきである場合に、該複合トランスポートチャネルのビットを間引くステップを、
さらに含むことを特徴とする請求項８に記載の方法。
【請求項１１】
前記速度整合オフセット値のそれぞれは、それぞれサービスの品質に対応していることを特徴とする請求項１に記載の方法。
【請求項１２】
前記サービスは、データ、電子メール、音声、インターネットまたはビデオをさらに含むことを特徴とする請求項１１に記載の方法。
【請求項１３】
前記トランスポートチャネルを選択するステップは、
前記複数のトランスポートチャネルの残りのうちの一つが新たなリファレンストランスポートチャネルとなるように定義信号を通知することによって、リファレンスとなるトランスポートチャネルを変更するステップを、
さらに含むことを特徴とする請求項１に記載の方法。
【請求項１４】
前記トランスポートチャネルを変更するステップには、
前のリファレンスとなるトランスポートチャネルを破棄するステップを、
さらに備えることを特徴とする請求項１３に記載の方法。
【請求項１５】
前記リファレンスとなるトランスポートチャネルには、専用の制御信号を備えているトランスポートチャネルが含まれていることを特徴とする請求項１に記載の方法。
【請求項１６】
前記ビット速度整合ステップには、前記速度整合オフセット値を動的に調整するステップがさらに含まれていることを特徴とする請求項１に記載の方法。
【請求項１７】
前記割り当てられた前記速度整合オフセット値と前記リファレンス速度整合オフセット値を前記ネットワークから前記移動端末へ通知するステップがさらに含まれていることを特徴とする請求項１に記載の方法。
【請求項１８】
前記ビット速度整合ステップを、前記ネットワーク又は前記移動端末において実行させるステップをさらに含むことを特徴とする請求項１に記載の方法。
【請求項１９】
複数のトランスポートチャネルについての複数のビット速度を物理チャネルのビット速度と整合させるための通信システムであって、
対応する複数のトランスポートチャネルのそれぞれに、複数の速度整合オフセット値のそれぞれを割り当てて通知するネットワークと、
前記複数の速度整合オフセット値を受信する移動端末と、
を備え、前記複数の速度整合オフセット値は、前記移動端末によって現在使用されている様々なサービス間の品質の違いを示すオフセットの尺度であり、
前記ネットワーク及び前記移動端末うちの一方は、
前記速度整合オフセット値に対応する相対的な品質の尺度を用いて、前記複数のトランスポートチャネルを前記物理チャネルに対して速度を整合させるよう動作するために、
前記複数のトランスポートチャネルの中からリファレンスとなるトランスポートチャネルを選択する選択手段と、
前記ビット速度を整合させる際の基準となるオフセットの尺度であるリファレンス速度整合オフセット値を前記リファレンスとなるトランスポートチャネルに割り当てる手段と、
前記ビット速度を整合させる際のオフセットの尺度である速度整合オフセット値のそれぞれを残りのトランスポートチャネルに割り当てる手段と、
前記速度整合オフセット値及び前記リファレンス速度整合オフセット値を用いて、前記複数のトランスポートチャネルのビット速度を前記複数のトランスポートチャネルを多重化してなる複合トランスポートチャネルのビット速度に対してバランスさせる手段と
を備えることを特徴とする通信システム。
【請求項２０】
前記ネットワーク及び前記移動端末のうちの他方が、
前記ネットワーク及び前記移動端末のうちの一方によりなされた前記ビット速度の整合を反映させる反映手段をさらに備えることを特徴とする請求項１９に記載の通信システム。
【請求項２１】
前記ネットワークは、
以前のトランスポートチャネルを破棄したあとに、前記複数のトランスポートチャネルの残りのうちの一つが新たなリファレンストランスポートチャネルとなるように定義信号を通知することによって、リファレンスとなるトランスポートチャネルを変更する変更手段を、
さらに備えることを特徴とする請求項１９に記載の通信システム。
【請求項２２】
前記リファレンストランスポートチャネルには、専用の制御信号を備えているトランスポートチャネルが含まれていることを特徴とする請求項２１に記載の通信システム。
【請求項２３】
前記ネットワークは、
新たなトランスポートチャネルを確立する確立手段と、
前記新たなトランスポートチャネルにより搬送されるサービスの品質を示す新たな速度整合オフセット値を、前記新たなトランスポートチャネルに対して割り当てる割当手段と、
前記新たな速度整合オフセット値を前記移動端末に通知する通知手段と、
をさらに備えることを特徴とする請求項１９に記載の通信システム。
【請求項２４】
前記ネットワークと前記移動端末とは、それぞれ、
物理チャネルのビット速度に整合させるためには、前記トランスポートチャネルのそれぞれに、より多くのビットが含まれるべきであるか又はより少ないビット含まれるべきであるかを決定する決定手段を、
さらに備えることを特徴とする請求項１９に記載の通信システム。
【請求項２５】
前記ネットワークと前記移動端末のうちの選択された一つは、
前記複数のトランスポートチャネルの少なくとも一つにはより多くのビットが含まれるべきである場合に、前記少なくとも一つのトランスポートチャネルのビットを繰り返させる手段を、
さらに含むことを特徴とする請求項２４に記載の通信システム。
【請求項２６】
前記ネットワークと前記移動端末のうちの選択された一つは、
前記複数のトランスポートチャネルの少なくとも一つにはより少ないビットが含まれるべきである場合に、前記少なくとも一つのトランスポートチャネルのビットを間引く間引手段を、
さらに含むことを特徴とする請求項２４に記載の通信システム。
【請求項２７】
前記相対的な品質の尺度のそれぞれは、Ｅｂ／Ｎ０及びＥｓ／Ｎ０のうちから選択された一つを含む品質の値に対応していることを特徴とする請求項１９に記載の通信システム。
【請求項２８】
前記速度整合オフセット値のそれぞれは、
データ、電子メール、音声、インターネットまたはビデオが含まれるサービスに係る品質に対応していることを特徴とする請求項１９に記載の通信システム。
【請求項２９】
前記ネットワークは、
前記速度整合オフセット値を動的に調整する調整手段を、
さらに備えていることを特徴とする請求項１９に記載の通信システム。
【請求項３０】
前記通信システムには、
広帯域符号分割多元接続通信システムが
含まれることを特徴とする請求項１９に記載の通信システム。
【発明の詳細な説明】
【０００１】
背景
発明が属する技術分野
本願発明は、一般に、電気通信分野に係り、とりわけ、ネットワークと移動端末が、多重されたサービスを処理している物理チャネルのビット速度に、複数のサービスを処理している複数のトランスポートチャネルのビット速度をバランスをとって整合させることができるように、移動端末に対して相対的なオフセット値を信号で伝える方法及び通信システムに関連する。
【０００２】
関連技術
ネットワーク事業者は、次の千年紀の当初にも、携帯電話の加入者が世界的に８億人を超えるものと予想している。そのときには、携帯電話の加入者数は有線電話の加入者数に並ぶか、それを上回っているだろう。
【０００３】
次の千年紀が近づくにつれ、無線通信における次の重要な発展は、第三世代無線サービスの規格化に関係しうるこが明確になってきている。第三世代無線サービスでは、加入者に、例えば、同一移動端末を用いて、リモートデータベースにアクセスしたり、電子メールを受信したり、電話を着信したりするとの同時に、友人や同僚とテレビ電話を発信することが可能となるであろう。
【０００４】
第三世代無線サービスのための１つのプラットフォームまたは標準は、広帯域符号分割多元接続（ＷＣＤＭＡ）として知られている。ＷＣＤＭＡ標準は、インターネットブラウズや伝統的な地上通信回線による電話サービスなどのような、パケット交換通信及び回線交換通信をサポートしている。テレフォンアクチーボラゲット ＬＭ エリクソン（本願の譲受人）は、国際電気通信連合（ＩＴＵ）に提出されたＷＣＤＭＡ標準の主要な支持者である。ＩＴＵは、一般的な移動電話通信システム（ＵＭＴＳ）として知られている第三世代のサービスをサポートする必要のあるプラットフォームまたは標準を選ぶ団体である。
【０００５】
第三世代無線サービスを提供するために、どの標準がＩＴＵにより選択されるかはさておき、ＵＭＴＳは、移動端末の特定のユーザーに対し、種々のサービスを同時に提供することができる。各サービスには、例えば、データ、電子メール、音声、インターネット、イントラネット、ファックス、ビデオストリーミング、又は、テレビ会議などが含まれ、他のサービスのために必要な保護（プロテクション）と比較し、品質（保護）について異なる要件または程度を要求しうるであろう。例えば、テレビ会議サービスは、より高い程度の品質（例えば、サービス品質）、またはファックスサービスのそれより少し多い保護を必要としそうである。
【０００６】
現在のＷＣＤＭＡ標準は、それぞれ程度の異なる保護を有する複数のサービスを１つの移動端末が同時に使用することを可能にする。しかしながら、現在の標準のどれもが、多重されたサービスを処理している物理チャネルのビット速度に対し、複数のサービスを処理している複数のトランスポートチャネルのビット速度をバランスさせて整合させることを、ネットワークと移動端末に可能させる効率的な信号伝達規則を備えてはいない。
【０００７】
発明の概要
本願では、移動端末により同時に使用されるそれぞれ異なるタイプのサービスをバランスさせ、速度整合させることを可能にする通信システム及び方法が提供される。より明確には、通信システムは、相対的なオフセット基準（リファレンス）と所定の基準（リファレンス）とを使用して、それぞれサービスを処理する複数のトランスポートチャネルの各ビット速度を、複数のサービスを処理する物理チャネルのビット速度に整合させるネットワークと移動端末とを含む。ネットワークは、相対的なオフセット基準を移動端末に割り当て、それを移動端末に信号で伝える。
【０００８】
図面の詳細な説明
図面を参照すると、図１から図７に亘って、数字等は各部を表しており、本願発明に関する例示的な通信システム１００及び方法６００が開示されている。
【０００９】
通信システム１００は、一般的な移動電話通信システム（ＵＭＴＳ）とＷＣＤＭＡ標準に関連して説明されるが、移動体加入者が複数のサービスを同時に使用することを可能にするどのような通信システム内でも本願発明を使用できることは理解されるべきである。従って、通信システム１００および好ましい方法６００は、限定的な手法で解釈されるべきではない。
【００１０】
図１を参照すると、通信システム１００の基本的な構成要素を例示しているブロック図がある。通信システム１００と関連した一定の詳細については、産業界において既知であるため、ここでは、そのようなものは説明の必要がないであろう。従って、明瞭さのために、通信システム１００に関連して以下に提供される説明において、発明を理解するのに必要ではないいくつかの構成要素は省略する。
【００１１】
一般に、通信システム１００は、ネットワークから移動端末に対し、速度整合オフセット値の複数を信号で伝達するように動作するが、これら速度整合オフセット値のそれぞれは、現在移動端末により使用されている様々なサービスの品質の違いを示している相対的な品質尺度である。
（上り回線で通信中の）移動端末又は（下り回線で通信中の）ネットワークは、それぞれサービスをサポートしている複数のトランスポートチャネルのビット速度を、予め定められた規則及び速度整合オフセット値を用いて、多重されたサービスをサポートしている物理チャネルのビット速度に整合させるよう作用する。その後、（下り回線で通信中の）移動端末または（上り回線で通信中の）ネットワークは、予め定められた規則、及び、速度整合オフセット値を使用して、直前の整合を反映させるように作用する。
【００１２】
一般移動電話通信システム（ＵＭＴＳ）の文脈において説明される通信システム１００は、例えば、公衆電話交換網（ＰＳＴＮ）および／または統合デジタル通信網（ＩＳＤＮ）など、雲１０２で示された、代表的なコネクションオリエンテッド型の外部コアネットワークを含むことができる。雲１０４として示された代表的なコネクションレスオリエンテッド型の外部のコアネットワークは、例えば、インターネットであってもよい。両方のコアネットワーク１０２と１０４は、対応したサービスノード１１０で接続される。ＰＳＴＮ／ＩＳＤＮ・コネクションオリエンテッド・ネットワーク１０２は、回線交換サービスを提供する移動交換センター（ＭＳＣ）ノード１１２として示されたコネクションオリエンテッド・サービスノードに接続している。そして、インターネット・コネクションレスオリエンテッド・ネットワーク１０４は、パケット交換タイプのサービスを提供するように構成された一般パケット無線サービス（ＧＰＲＳ）ノード１１４に接続している。
【００１３】
コアネットワーク・サービスノード１１２と１１４のそれぞれは、ＵＴＲＡＮインターフェイス（Ｉｕ）を介して、ＵＭＴＳ地上無線アクセスネットワーク（ＵＴＲＡＮ）１２０と接続する。ＵＴＲＡＮ １２０は１以上の無線ネットワーク制御装置（ＲＮＣ）１２２を含む。各ＲＮＣ １２２は、複数の基地局（ＢＳ）１２４、およびＵＴＲＡＮ １２０のいずれかのＲＮＣと接続される。基地局１２４と移動端末（ＭＴ）１３０間の無線通信は無線インターフェイスを経由する。無線アクセスは、個々の無線チャンネル割り当てに際して、ＷＣＤＭＡ拡散符号を用いる広帯域ＣＤＭＡ（ＷＣＤＭＡ）標準に基づいている。
【００１４】
ＷＣＤＭＡは、高い品質を保証するためのダイバーシチ・ハンドオフとＲＡＫＥ受信機のような頑強な機能だけでなく、マルチメディアサービスのために広帯域と高い伝送速度要求とを提供する。前述したように、ＷＣＤＭＡは、移動端末１３０の１つにより同時に使用される種々のサービスをサポートすることができる。種々のサービスには、例えば、データ、音声、インターネット、イントラネット、ファックス、ビデオストリーミング、テレビ会議、電子商取引、リモートコントロール、リモート監視またはインタラクティブな電子メール、通信、またはある種のエンターテインメントが含まれ、これらは、通常、他と比較し、品質や保護の程度が異なっている。
【００１５】
図２を参照すると、図１に示された無線インターフェイスに係るいくつかのプロトコルレイヤー２００を例示したブロック図がある。移動局１３０は、ＵＴＲＡＮ １２０の同様なプロトコルスタック２００ｂとの通信を統合するために、プロトコルスタック２００ａを用いる。両方のプロトコルスタックは、物理レイヤー２０２、データリンクレイヤー２０４及びネットワークレイヤー２０６を含む。データリンクレイヤー２０４は、無線リンクコントロール（ＲＬＣ）レイヤー２０８および中間のアクセスコントロール（Ｍａｃ）レイヤー２１０のように２つのサブレイヤーに分かれている。ネットワークレイヤー２０６は、この例においてコントロール・プレーン・プロトコル（ＲＲＣ）２１２とユーザー・プレーン・プロトコル（ＩＰ）２１４に分割されている。
【００１６】
ＵＴＲＡＮ １２０のネットワークレイヤー２１４のコントロール・プレーン・パート２１２は、無線リソースコントロールプロトコル（ＲＲＣ）から構成されている。ＲＲＣプロトコルは、無線インターフェイスを介して、例えば、無線アクセス・ベアラ・コントロール信号、測定報告、およびハンドオーバ信号などの制御信号を処理する。ネットワークレイヤー２０６のユーザー・プレーン・パート２１４は、有名なインターネットプロトコル（ＩＰ）など、レイヤー３プロトコルにより実行される伝統的な機能を含んでいる。
【００１７】
ネットワークレイヤー２０４のＲＬＣ ２０８は、様々な機能を実行し、それには、ＲＬＣコネクションの確立、開放およびメンテナンス、セグメンテーションおよび可変長の再アセンブリ、より小さいＲＬＣ ＰＤＵへの上位レイヤーＰＤＵ／より小さいＲＬＣ  ＰＤＵからの上位レイヤーＰＤＵ、連結、再送（ＡＲＱ）による誤り訂正、上位レイヤーＰＤＵにおけるシーケンス伝送、複製検出、フロー制御及び他の機能が含まれている。そして、中間アクセスコントロール（ＭＡＣ）レイヤー２１０は、仲間のＭＡＣエンティティ間において、サービスデータユニット（ＳＤＵ）の未承認転送を提供する。ＭＡＣ機能には、データ速度に基づいて各トランスポートチャネルに適切なトランスポートフォーマットを選択する機能（例えば、レイヤー１によってレイヤー２に提供されるサービス）、１ユーザにおける複数データフロー間及び異なるユーザーにおける複数データフロー間の優先処理機能、制御メッセージのスケジューリング機能、上位レイヤーＰＤＵの多重化機能及び分離化機能、及び、他の機能が含まれている。
【００１８】
物理レイヤー２０２は、以下の機能を実行するＷＣＤＭＡを使用して、エアインタフェースを介した情報転送サービスを提供する：フォワードエラー訂正符号化と復号化、マクロダイバーシチについて分配／合成、ソフトハンドオーバの実行、トランスポートチャネルについてのエラー検出、多重化及び分離化、物理チャネル上へのトランスポートチャネルのマッピング、物理チャネルについての変調及び拡散／逆拡散及び復調、周波数同期及びと時間同期、電力制御、ＲＦ処理、および他の機能。物理レイヤー２０２内における、物理チャネル上へのトランスポートチャネルのマッピングについてのよりの詳細な説明は、図３関連して提供される。
【００１９】
図３を参照すると、移動端末１３０とＵＴＲＡＮ １２０内の物理レイヤー２０２のアーキテクチャと動作がより詳しく例示されている。ＲＮＣ １２２は、特定の移動端末１３０が同時に使用可能なサービスの数に依存して、１以上のトランスポートチャネル（ＴｒＣＨ）３００（図には３つだけが示されている。）をセットアップできる。また、各サービスのそれぞれは、トランスポートチャネル３００のうちの１つによってサポートされ、処理される。
【００２０】
トランスポートチャネル３００が対応する基地局１２４に分配される前に、ＲＮＣ １２２は、トランスポートチャネル３００を分割及び合成するために動作可能なマクロダイバーシチユニット３０１を含でいる（図には２つだけ示されている ）。各基地局１２４は、巡回冗長検査（ＣＲＣ）ビット（例えば、１６ビット）を各トランスポートチャネルのビットのブロックに追加するために動作する検査（チェック）ユニット３０２を含んでいる。検査ユニット３０２は、検査ユニットから出力されるビットブロックに符号化を施すチャンネル符号化装置３０４と接続している。第１のインターリーブユニット３０６は、チャンネルコード化ユニット３０４から受け取ったコード化されたビットブロックに対しインターリーブオペレーションを実行する。その後、各トランスポートチャネル３００と関連したインターリーブされたビットブロックのすべては、速度整合ユニット３０８に入力される。
【００２１】
また、図３Ａを参照すると、速度整合ユニット３０８は、一般に、トランスポートチャネル３００の様々なビット速度を、複合トランスポートチャネル（ＣＣＴｒＣＨ）３１２のビット速度に整合させ、バランスをとるように動作し、トランスポートチャネルは、ＣＣＴｒＣＨを出力する多重化ユニット３１０により多重化される。速度整合ユニット３０８内の整合およびバランスオペレーションは、予め定められた規則と速度整合オフセット値（以下において説明される）を使用して実行される。
【００２２】
より具体的には、速度整合ユニット３０８は、例えば専用制御信号を含むトランスポートチャネルであるかもしれないリファレンス（基準）トランスポートチャネルとして、トランスポートチャネルのうちの１つを選択するように動作する。残りのトランスポートチャネルのうちの１つを新たな基準トランスポートチャネルとする定義を信号伝達することにより、ＵＴＲＡＮ １２０は、基準トランスポートチャネルを変更できる。ＵＴＲＡＮ １２０は、以前の基準トランスポートチャネルが破棄されている間に、この定義を信号で伝えることができる。さらに、新しいトランスポートチャネルをＵＴＲＡＮ １２０が設定すると、新しい速度整合オフセット値を、新しいチャンネルに割り当てて、新しいオフセット値が移動端末１３０に信号で伝えられる。
【００２３】
ＵＴＲＡＮ １２０は、基準（リファレンス）速度整合オフセット値（例えば、Δｒｍ＝０）を基準（リファレンス）トランスポートチャネルに割り当てる。しかし、もし、この値がいつも同じであるならば、基準速度整合オフセット値は割り当てられる必要はない（例えば、Δｒｍ＝０）。さらに、ＵＴＲＡＮ １２０は、速度整合オフセット値（例えば、Δｒｍ＝±Ｘ）を残りのトランスポートチャネル３００のそれぞれに割り当てる。図３Ａを参照すると、速度整合ユニット３０８は、対応したトランスポートチャネル（例えば、ＴｒＣＨｒｅｆ、ＴｒＣＨ１、ＴｒＣＨ２またはＴｒＣＨｎ）に、速度整合オフセット値（例えば、Δｒｍ＝０、±Ｘ、±Ｙまたは±Ｚ）間の関連を示す入力を有している。
【００２４】
速度整合オフセット値は、ＲＲＣプロトコルを使用してＵＴＲＡＮ １２０から移動局１３０に伝達される（図２においてＲＲＣ ２１２を参照のこと）。新たなトランスポートチャネルが確立されるたびに、この信号伝達がなされてもよい。基本的に、ＵＴＲＡＮ １２０のＲＲＣ ２１２は、割り当て及びコンフィギュレーションメッセージを移動端末１３０のＲＲＣ ２１２に送り、ＲＲＣ ２１２のそれぞれが自己の下位レイヤーをローカルに設定することを可能にする。
【００２５】
個々の速度整合オフセット値は、基準トランスポートチャネルの必要な量に比しての、トランスポートチャネルの必要な速度整合の量を示すことができる。あるいは、個々の速度整合オフセット値は、基準トランスポートチャネルに係る品質と比較した場合における、特定のトランスポートチャネル３００の特定サービスに係る相対的な品質を示す相対的な尺度である。
【００２６】
いくつかの実施形態において、速度整合オフセット値は、要求された品質を維持するために、特定のトランスポートチャネル３００のビットブロックに対し、基準トランスポートチャネルのビットブロックに比べ、どの程度のビットを「より多くする若しくは反復させる」または「より少なくする若しくは間引く」ことが必要であるかを表す直接的な尺度であってもよい。そのような実施形態では、速度整合オフセット値のそれぞれは、絶対的な速度整合量というよりも、むしろ、トランスポートチャネル３００間における相対的な品質尺度といえよう。
【００２７】
代わりに、他の実施形態においては、速度整合オフセット値が、種々のトランスポートチャネル３００間における要求品質の違いを表現するものであってもよい。要求品質は、トランスポートチャネル３００に対し、特別な速度整合を実施しない場合における、目標「ビット／雑音あたりのエネルギー」（Ｅｂ／Ｎ０）の差、または、目標「シンボル／雑音あたりのエネルギー」（Ｅｓ／Ｎ０）の差で表されてもよい。雑音と干渉の双方を含んでいるものは無いものとする（もちろん、近似的に雑音だけが含まれているといえよう。）。速度整合の配分の際には、同じ量の反復または間引きが、Ｅｂ／Ｎ０品質、またはＥｓ／Ｎ０品質に、異なる程度でもって影響しうることを考慮してもよい。
【００２８】
もし、複数のサービスが同一のトランスポートチャネルにより搬送される場合には、速度整合を使用することにより、これらのチャンネルの品質は、お互いに、相対的にバランスしていないことが理解されるべきである。しかし、トランスポートチャネルは、他のトランスポートチャネルにより搬送される他のサービスに対しては相対的に釣り合いが取れているかもしれない。
【００２９】
速度整合オフセット値のうちのすべてが割り当てられた後に、トランスポートチャネル３００の様々なビット速度をＣＣＴｒＣＨ ３１２のビット速度と整合させることに先がけて、速度整合ユニット３０８は、ＣＣＴｒＣＨのビット速度を物理チャネル３１６のビット速度と整合できるようにするために、（もし必要であれば）トランスポートチャネルのうちの１以上から、いくつのビットを追加されるべきか、または削除されるべきかを決定するように作用する。もしビットが追加され若しくは繰り返される場合には、トランスポートチャネル３００のビット速度を物理チャネル３１６のビット速度と整合させるために、予め定められた規則（例えば、図４Ａ、および図４Ｂを参照）が、その後に実行される。そうでなければ、すなわち、ビットが削除／間引きされる場合には、トランスポートチャネル３００のビット速度を物理チャネル３１６のビット速度と整合させるために、他のあらかじめ定められた規則（例えば、図５Ａ、および図５Ｂを参照）が実行される。
【００３０】
トランスポートチャネル３００の様々なビット速度をＣＣＴｒＣＨ ３１２のビット速度と整合させた後に、ＣＣＴｒＣＨ ３１２と関連したビットブロックが、第２のインターリーブユニット３１４によりインターリーブされる。インターリーブされたビットブロックのマップが、マップ作成ユニット３１８を使用して最低１つの物理チャネル３１６上に作成される。あるイベントを処理するのに１つの物理チャネルでは十分でなければ、複数の物理チャネル３１６を使用することで、ＣＣＴｒＣＨ ３１２の多重化されたトランスポートチャネル３００を処理することが可能である。
【００３１】
前述したように、移動端末１３０およびＵＴＲＡＮ １２０のそれぞれは、その間で種々のサービスについての通信が同時に発生することを可能にすべく、同様の物理レイヤー２０２を用いる。従って、本願発明に従えば、移動端末１３０は、物理チャネル３１６と、基地局１２４から送信される速度整合オフセット値とに関連したビットブロックを受信できるように構成されている。基本的に、移動端末１３０は、基地局１２４の速度整合ユニット３０８において、予め定められた規則と受信された速度整合オフセット値とを使用して実行された過去の速度整合動作を反映させるように作用する。従って、移動端末１３０と基地局１２４とは、正しいバランスを把握することが可能となる。
【００３２】
より具体的には、移動局１３０は、物理チャネル３１６の受信されたビットブロックを、インターリーブされたビットブロックに変換するために動作可能なマッピング解除（デマッピング）ユニット３２０を含む。インターリーブされたビットブロックは、インターリーブ解除（デインターリーブ）ユニット３２２に入力され、そこで、基地局１２４のＣＣＴｒＣＨ ３１２と一致「すべきである」ＣＣＴｒＣＨ ３１２'に関連するブロックが出力される。ＣＣＴｒＣＨ ３１２'のビットブロックは、分離化（デマルチプレクシング）ユニット３２４に入力され、そこで、多数のビットブロックが出力され、速度整合ユニット３２６に入力される。ビットブロックの数は、トランスポートチャネル３００の数に対応している。
【００３３】
速度整合ユニット３２６は、予め定められた規則と受信された速度整合オフセット値とを使用している速度整合ユニット３０８により実行された速度整合を反映するように作用する（図４と図５を参照）。すなわち、復号の前に、繰り返されたビットが取り除かれ、及び、復号の前に、ＵＴＲＡＮ １２０により間引きが実行された場所に挿入されるべきビットが追加される。移動端末１２０が、より具体的には  速度整合ユニット３２６が、（以下に説明される）ＲＲＣプロトコルによって実行されるコンフィギュレーション・シグナリング（例えば、瞬時のビット速度）から把握した情報に基づいて処理できる。
【００３４】
図３Ｂを参照すると、速度整合ユニット３２６は、トランスポートチャネル（例えば、ＴｒＣＨｒｅｆ、ＴｒＣＨ１、ＴｒＣＨ２またはＴｒＣＨｎ）にそれぞれ対応した速度整合オフセット値（例えば、ＵＴＲＡＮ １２０から信号で伝えられたΔｒｍ ＝ ０、±Ｘ、±Ｙ、または±Ｚ）間の関係を示す入力を有している。前述したように、速度整合オフセット値は、ＲＲＣプロトコルを使用してＵＴＲＡＮ １２０から移動局１３０に伝達される（図２においてＲＲＣ ２１２を参照）。新しいトランスポートチャネルが確立されるたびに、この信号伝達がなされるようにしてもよい。基本的に、ＵＴＲＡＮ １２０のＲＲＣ ２１２は、割り当て及びコンフィギュレーションメッセージを、移動端末１３０のＲＲＣ ２１２に送ることで、個々のＲＲＣ ２１２がそれらの各下位レイヤーをローカルに設定することを可能にさせる。
【００３５】
以前の速度整合オペレーションが反映できていることは理解されるべきで、速度整合ユニット３２６は、基地局１２４から送信される情報を必要としない予め定められた規則を使用して、個々のトランスポートチャネル３００について、瞬時のビット速度、各ブロックのオリジナルのサイズを決定する。例えば、ＲＲＣプロトコルが（両方の終端についての）下位のプロトコルレイヤーを、各トランスポートチャネル上に限られた数のビット速度が生起されるような方法でもって設定する。トランスポートチャネルが追加される時には、実際のビット速度およびビット速度の数が、ＲＲＣの信号伝達（シグナリング）を通して設定される。しかし、トランスポートチャネルが追加されず、リリースされない時にさえも、同じタイプのシグナリングによってコンフィギュレーションを変更することもできる。（ＲＲＣにより割り当てられる）可能なビット速度の限定セットが与えられると、（セット内の）適切なビット速度が、即座に、送信終端（例えば、上り回線の移動端末１３０または下り回線のネットワーク１２０ ）に対し選択される。割り当てられたセット内の選択は、例えば、ソースレートに依存する。物理レイヤーは、１０ｍｓの各フレームにおいて送信されるフィールドを予約し、このフィールドは、ＭＳ−ネットワークコネクション間のすべてのトランスポートチャネルにおいて現在選択されているビット速度を指し示すために使用される。従って、各フレームのこのフィールドを読むことで、受領側（例えば、下り回線の移動端末１３０または上り回線のネットワーク１２０ ）は、この特定フレームにおける各トランスポートチャネルにおいて、ＲＲＣ ２１２により割り当てられたセット内のどのビット速度が使用されるかを知ることができる。代わりに、正しいＣＲＣが達成されるまで、対応した速度整合、復号、デインターリービングなどを試すべく、（割り当てられたセット内の）すべての可能なビット速度を単純にテストして速度を決定することも可能である。
【００３６】
トランスポートチャネルに、速度整合が正しく配布されたと仮定すると、速度整合ユニット３２６から出力された個々のビットブロックは、デインターリーブされたビットブロックを出力する第２のデインターリーブユニット３２８のそれぞれに入力される。デインターリーブされたビットブロックのそれぞれは、復号されたビットブロックを出力する復号ユニット３３０に入力される。復号された各ビットブロックは、基地局１２４のチェックユニット３０２により追加された巡回冗長検査（ＣＲＣ）ビットを削除するために作用する検査解除（デチェッキング）ユニット３３０に入力される。従って、検査解除ユニット３３０のそれぞれは、基地局１２４の対応したトランスポートチャネル３００のビットブロックに相当するトランスポートチャネル３００'のビットブロックを出力する。
【００３７】
基地局１２４から移動端末１３０への下り回線の通信だけが上述されてきたが、移動端末１３０から基地局１２４への上り回線の通信もまた本願発明に従って実施されよう。そのような状況において、上述の基地局１２４についての速度整合は、移動端末１３０により実行され、および、上述の移動端末について反映動作は、基地局により実行される。どちらのケースにおいても、ＵＴＲＡＮ １２０は、移動端末１３０に、速度オフセットの整合値を信号で伝える。
【００３８】
図４Ａおよび図４Ｂを参照すると、ＣＣＴｒＣＨにビットが追加される必要がある状況において、物理チャネルと整合するように、予め定められた規則が適用された後に、トランスポートチャネルとＣＣＴｒＣＨのプリレート整合ビット速度（図４Ａ）及びポストレート整合ビット速度（図４Ｂ）が例示されている。以下は、速度整合オフセット値を使用して全体の速度整合を決定する一例であり、本願発明に従った数多くの方法のうちのほんの１つであることが理解されるべきである。
【００３９】
説明に役立てる目的で、３つのトランスポートチャネルが示されており、それぞれＴｒＣＨａ、ＴｒＣＨｂ、およびＴｒＣＨｃである。トランスポートチャネルに割り当てられた対応する速度整合オフセット値は、次のように示される：Δｒｍａ ＝ ０；Δｒｍｂ＝１／１０；そしてΔｒｍｃ＝−１／５。ＴｒＣＨａは、基準トランスポートチャネルとして選択される。従って、ＴｒＣＨｂはＴｒＣＨａより多いプロテクションを得る一方で、ＴｒＣＨｃはＴｒＣＨａより少ないプロテクションを得る。特定の時間に、トランスポートチャネルのそれぞれから（符号化された）５０ビットのブロックが、ＣＣＴｒＣＨの１つのビットブロックに多重化されると仮定する。物理チャネルと整合するためには、ＣＣＴｒＣＨは、（例えば）１６０ビットを含むことを要求される。従って、全体の速度整合は、入力されたものよりもビットが１０以上多く出力されることになる（図４Ａ参照）。
【００４０】
個々の速度整合オフセット値を考慮することによる結果は以下のとおりとなる。
【００４１】
TrCHa: 50(1+0)=50ビット   (1)
TrCHb: 50(1+1/10)=55ビット   (2)
TrCHc: 50(1-1/5)=40ビット   (3)。
【００４２】
１５ビットが失われていると判断できよう(160-(50+55+40)=15)。１つの例示的な予め定められた規則によると、付加的な１５ビットは、ＣＣＴｒＣＨの１６０ビットと整合するように、トランスポートチャネルに案分して配分できる。
【００４３】
TrCHa: round(50(1+15/(50+55+40)))=55ビット (4)
TrCHb: round(55(1+15/(50+55+40)))=61ビット (5)
TrCHc: round(40(1+15/(50+55+40)))=44ビット (6)。
【００４４】
図４Ｂは、トランスポートチャネルの様々なビット速度を、ＣＣＴｒＣＨのビット速度に整合又はバランスさせるために、予め定められた規則と速度整合オフセット値を使用した場合の結果を例示する。上述した動作が基地局１２４により実行されて、移動端末１３０により下り回線の通信に反映されうることが理解されるべきである。または、上説された動作が移動端末１３０により実行されて、基地局１２４により上り回線の動作に反映されうる。
【００４５】
基地局１２４または移動端末１３０は、速度整合の相対的な量をチェックするために、以下の処理を実行できる（このチェックは、必須ではない）。
【００４６】
TrCHaと関連するTrCHb:(61/50) /(55/50)=1.1=1+1/10  (7)
TrCHaと関連するTrCHc:(44/50) /(55/50)=0.8=1-1/5  (8)。
【００４７】
移動端末１３０がＵＴＲＡＮ １２０から速度整合オフセット値を受信し、ＵＴＲＡＮと移動端末との間で信号で伝える必要のない予め定められた規則を使用して、瞬時のビット速度（例えば、５０ビット）を決定できることが理解されるべきである（上述）。
【００４８】
図５Ａおよび図５Ｂを参照することによって、ＣＣＴｒＣＨが物理チャネルと整合できるようにするにはビットが削除される必要がある状況において、予め定められた規則を適用した後における、トランスポートチャネルとＣＣＴｒＣＨのプリレート整合ビット速度（図５Ａ）とポストレート整合ビット速度（図５Ｂ）とが例示されている。第１の例と第２の例は、本願発明による速度整合オフセット値を使用して全体の速度整合を決定する多くの方法のうちのたった１つにすぎない。
【００４９】
ＴｒＣＨａ、ＴｒＣＨｂ、およびＴｒＣＨｃについての速度整合オフセット値が、次のように前述の例と同一のままであると仮定する：Δｒｍａ ＝ ０；Δｒｍｂ ＝１／１０；及びΔｒｍｃ＝−１／５。ＴｒＣＨａ上のデータブロック（瞬時のビットレート）は４０ビットであり、ＴｒＣＨｂ上のものは３００ビットであり、ＴｒＣＨｃ上のものは０ビットとする。また、物理チャネルのビット速度は、合計の速度整合が入力に対し２０ビット少なく出力されるように３２０ビットに増加されている。
【００５０】
個々の速度整合オフセット値を考慮することによって、結果は以下のとおりとなる。
【００５１】
TrCHa: 40(1+0)=40ビット   (9)
TrCHb: 300(1+1/10)=330ビット   (10)
TrCHc: 0ビット    (11)。
【００５２】
ＴｒＣＨａとＴｒＣＨのいずれか又は双方に関係する２つのブロックから、５０ビットが削除されるべきであると判断できよう。
【００５３】
TrCHa: round(40(1-50/(40+330+0)))=35ビット (12)
TrCHb: round(330(1-50/(40+330+0)))=285ビット (13)。
【００５４】
図５Ｂは、ＣＣＴｒＣＨのビット速度にトランスポートチャネルの様々なビット速度を整合させ、またはバランスさせるために、予め定められた規則と速度整合オフセット値を使用した結果を例示している。また、これらの処理動作は、基地局１２４により実行されて、下り回線通信には移動端末１３０により反映されうる。または、上説された処理動作が移動端末１３０により実行され、上り回線通信には基地局１２４により反映されうる。
【００５５】
移動端末１３０または基地局１２４は、速度整合の相対的な量をチェックするために、以下の処理を実行できる（このチェックは必須ではない）。
【００５６】
TrCHaと関連するTrCHb:(285/300) /(35/40)=1.09≒1+1/10  (14)。
たとえ、それぞれのトランスポートチャネルにおいてビット速度が変化したとしても、両方の例では、速度整合オフセット値は同一のままであり続けた。
【００５７】
図６を参照すると、本願発明に従った好ましい方法６００の基本的なステップを例示しているフローチャートが示されている。基本的に、好ましい方法６００は、ネットワークと移動端末との間で最小限の信号伝達を使用して、複数のトランスポートチャネルの複数のビット速度を、複合トランスポートチャネルまたは物理チャネルのビット速度とバランスさせ、または整合させるものである。
【００５８】
ステップ６０２の開始において、ネットワーク（ＵＴＲＡＮ）１２０は、基準トランスポートチャネルとして、複数のトランスポートチャネル３００のうちから１つを選ぶ。前述したように、基準トランスポートチャネルは、専用制御信号を含んでいるトランスポートチャネルであってもよい。また、ネットワーク１２０は、以前の基準トランスポートチャネルを破棄する一方で、残余のトランスポートチャネル３００のうちの１つを新たな基準トランスポートチャネルとすべきとの定義を信号で伝達し、基準トランスポートチャネルを変更できる。代わりに、予め定められた規則は、どの残余のトランスポートチャネルが使用されるべきであるかを示すことができる。
【００５９】
ステップ６０４で、ネットワーク１２０は、基準速度整合オフセット値（例えば、Δｒｍ＝０）を基準トランスポートチャネルに割り当てる。また、もしいつも値が同じであるならば、基準速度整合オフセット値は割り当てられる必要はない（例えば、Δｒｍ＝０）。さらに、ネットワーク１２０は、速度整合オフセット値（例えば、Δｒｍ＝±Ｘ）を残余のトランスポートチャネルのそれぞれに割り当てる（ステップ６０６）。その後、ネットワーク１２０は移動端末１３０に速度整合オフセット値のすべてを信号で伝える（ステップ６０８）。
【００６０】
ステップ６１０で、（下り回線で通信の際の）ネットワーク１２０または（上り回線で通信の際の）移動端末１３０は、（図７を見ると）予め定められた規則と速度整合オフセット値とを使用して、複合トランスポートチャネル３１２にトランスポートチャネル３００を速度整合させるように動作する。
【００６１】
ステップ６１２で、上述した速度整合処理を反映させるように、（上り回線で通信の）ネットワーク１２０または（下り回線で通信の）移動端末１３０が作用する。すなわち、復号の前に、繰り返されたビットが取り除かれ、および、復号の前に、ＵＴＲＡＮ １２０が間引きを適用した場所に挿入される必要のあるビットが追加される。
【００６２】
図７を参照すると、好ましい方法６００の速度整合ステップ６１０をより詳しく例示したフローチャートが示されている。ステップ７０２で、上説の予め定められた規則（図４−図５を参照）を使用している（下り回線通信時の）ネットワーク１２０または（上り回線通信時の）移動端末１３０は、複合トランスポートチャネル３１２のビット速度が物理チャネル３１６のビット速度と整合できるようにするために、より多くのビットが追加される必要があるか、数ビットがトランスポートチャネルから削除される必要があるかを決定する。
【００６３】
もし、複合トランスポートチャネルがより多くのビットを必要とするならば、繰り返しビットがトランスポートチャネル３００のうちの最低１つに追加される（ステップ７０４）。たとえビットが、複合トランスポートチャネルに追加される必要があっても、速度整合オフセット値の相対的な値に依存することで、１以上のトランスポートチャネルからビットを間引き、削除でき、その上、適切なバランスを維持できる。
【００６４】
さもなければ、もし複合トランスポートチャネルが少ないビットを必要とするならば、前もって決定されたビット数が、トランスポートチャネル３００のうちの最低１つから削除されるか、または間引かれる（ステップ７０６）。上述のように  たとえビットが間引かれる必要があっても、速度整合オフセット値の相対的な値に依存することで、トランスポートチャネルに数ビットを追加でき、または繰り返すことができ、適切なバランスを維持できる。
【００６５】
（オプションの）ステップ７０８では、ネットワーク１２０が、もしそう要求されるならば、速度整合オフセット値の値を動的に調整してもよい。トランスポートチャネル３００の品質差への著しい影響が、速度整合オフセット値を動的に調整することによって提供されてもよい。一方では、付加的なオーバーヘッドは、また、速度整合オフセット値を動的に調整することによって通信システムに導入される。
【００６６】
上述の説明から、ネットワークと移動端末がバランスを把握できるようにすることで、ネットワークと移動端末間の通信品質を保証するのに役立つ通信システム及び方法が本願発明によって提供されることが、当業者により認められよう。通信システムは、ネットワークと移動端末により把握されている相対的な品質尺度および予め定められた規則を使用することで、両方の終端に対し、正しいバランスをも提供する。また、開示された通信システムは、速度整合オフセット値を使用して、物理チャネル上に多重化されるトランスポートチャネルをバランスさせ、速度整合させるために必要な信号伝達量を効果的に最小化する。
【００６７】
本願発明の装置及び方法の例示的な実施形態は、添付図面に示され、そして、前述の詳細説明において説明されたが、発明は開示された実施形態に制限されるものではなく、請求項の記載により定義されるように、発明の思想を逸脱せずに、数多くの再配置、部分修正、および置換が可能であることは理解されよう。
【図面の簡単な説明】
本願発明の装置及び方法のより完全な理解は、添付図面と連携して、以下の詳細な説明を参照することによって得られよう。
【図１】  図１は、本願発明に係る例示的な通信システムの基本的な構成要素を例示しているブロック図である。
【図２】  図２は、図１の通信システムにおいて示された無線インターフェイスのいくつかのプロトコルレイヤーを例示するブロック図である。
【図３】図３は、図１の通信システムに係る移動端末とネットワークとの間の無線インターフェイスの物理レイヤーをより詳しく例示したブロック図である。
【図３Ａ】図３Ａは、図中のネットワークに含まれている速度整合ユニットを例示するブロック図である。
【図３Ｂ】  図３Ｂは、図中の移動端末内に含まれている速度整合ユニットを例示しているブロック図である。
【図４Ａ】、
【図４Ｂ】  図４Ａおよび４Ｂは、本願発明に係るトータルの速度整合を決定する方法についての第１の例について、事前の整合結果と事後の整合結果とを示した図である。
【図５Ａ】、
【図５Ｂ】  図５Ａ及び図５Ｂは、本願発明に係るトータルの速度整合を決定する方法についての第２の例について、事前の整合結果と事後の整合結果とを示した図である。
【図６】  図６は、本願発明に係る好ましい方法の基本的なステップを例示しているフローチャートである。
【図７】  図７は、図６において示された好ましい方法についての速度整合の動作を例示しているフローチャートである。
【図１】
0004541567.tif 000002
【図２】
0004541567.tif 000003
【図３】
0004541567.tif 000004
【図３Ａ】
0004541567.tif 000005
【図３Ｂ】
0004541567.tif 000006
【図４Ａ】
0004541567.tif 000007
【図４Ｂ】
0004541567.tif 000008
【図５Ａ】
0004541567.tif 000009
【図５Ｂ】
0004541567.tif 000010
【図６】
0004541567.tif 000011
【図７】
0004541567.tif 000012